(57)【要約】 【課題】  異なる駆動周波数を用いて光源の発光器を駆動して、異なる位置の光源の輝度と色度をモニターし調整する光源駆動装置、発光システムおよび光源の輝度均一性を改善する方法を提供する。【解決手段】  複数の発光器を有する光源に用いる光源の輝度均一性を改善する方法であって、光源は、複数の発光グループに分けられ、各発光グループは、駆動電流によって駆動され、発光強度を有する光を発生し、各発光グループの発光器の各々を駆動する駆動電流の中に駆動周波数情報を組み込むステップ、発光グループより発生した光を感知し、駆動周波数情報を有する感知光を得て感知光を指示する信号を出力するステップ、駆動周波数情報に基づいて発光グループの発光強度を判断するステップ、および発光強度の判断に基づいて発光グループの駆動電流を調整するステップを含む光源の輝度均一性を改善する方法。【選択図】      図２
2007073496.tif 000002
【特許請求の範囲】
【請求項１】
複数の発光器を有する光源の輝度均一性を改善する方法であって、
前記光源は、複数の発光グループに分けられ、前記発光グループは、駆動電流によって駆動され、発光強度を有する光を発生し、前記発光グループの前記発光器の各々を駆動する前記駆動電流の中に駆動周波数情報を組み込むステップ、
前記発光グループより発生した光を感知し、前記駆動周波数情報を有する感知光を得て前記感知光を指示する信号を出力するステップ、
前記駆動周波数情報に基づいて前記発光グループの前記発光強度を判断するステップ、および、
前記発光強度の判断に基づいて前記発光グループの前記駆動電流を調整するステップを含むことを特徴とする光源の輝度均一性を改善する方法。
【請求項２】
前記発光グループは、前記光源の中の異なる位置に配置され、前記駆動周波数情報は前記発光グループを指示する位置情報を含み、前記発光グループの位置に基づいて前記発光グループの駆動電流を調整する請求項１に記載の光源の輝度均一性を改善する方法。
【請求項３】
少なくとも一部の前記発光グループの駆動電流は、パルス幅を有する電流パルスであり、前記電流パルスの前記パルス幅を変えることによって前記発光グループの駆動電流を調整する請求項１または請求項２に記載の光源の輝度均一性を改善する方法。
【請求項４】
前記発光器は、複数色の発光が可能であるとともに、前記感知光は、複数色の光を含み、前記発光器の色に基づいて前記発光グループの前記駆動電流を調整する請求項１ないし請求項３のいずれか一項に記載の光源の輝度均一性を改善する方法。
【請求項５】
複数の発光グループの前記駆動電流は、発光グループごとに異なる複数の駆動周波数に分けられた各駆動周波数情報を提供し、且つ、前記発光強度の判断は、前記感知光を発する前記発光グループの前記駆動周波数に基づく請求項１ないし請求項４のいずれか一項に記載の光源の輝度均一性を改善する方法。
【請求項６】
前記発光グループは、複数の異なる発光グループに分けられ、各前記発光グループは、複数の発光器を含み、各前記発光グループの前記発光器は、同じ前記駆動周波数を有する請求項１ないし請求項５のいずれか一項に記載の光源の輝度均一性を改善する方法。
【請求項７】
複数の発光グループに分けられた複数の発光器を有する光源を含む発光システムに適用される光源駆動装置であって、
複数のドライバを備え、駆動周波数情報を有する駆動電流を前記発光グループに供給すると共に、発光強度を有する光を発生させる駆動モジュールと、
前記発光強度に関連する前記駆動周波数情報に基づいて、前記複数の発光グループの前記発光強度を判断し、判断した前記複数の発光グループの前記発光強度に基づいて前記ドライバより提供された前記駆動電流を調整する制御モジュールとを含むことを特徴とする光源駆動装置。
【請求項８】
前記光源の近くに配置され、前記発光グループより発生された光を感知し、前記駆動周波数情報を有する前記感知光を得て前記感知光を指示する信号を出力する光感知モジュールを更に含む請求項７に記載の光源駆動装置。
【請求項９】
前記発光グループは、前記光源の異なる位置に配置され、前記駆動用周波数と前記発光グループの位置とが関連し、且つ、前記駆動電流の調整は前記発光グループの位置に基づく請求項７または請求項８に記載の光源駆動装置。
【請求項１０】
前記光源駆動装置は、前記制御モジュールと前記駆動モジュールとの間に接続された変調モジュールを更に含み、前記変調モジュールは、前記制御モジュールからの制御信号を受け、前記駆動モジュールを通じて、変調した前記駆動電流を前記発光グループに提供するとともに、前記発光グループの前記駆動電流はパルス幅を有する前記電流パルスであり、かつ、前記制御モジュールは前記パルス幅を変えることによって前記駆動モジュールの前記駆動電流を調整する請求項７に記載の光源駆動装置。
【請求項１１】
前記感知光は前記変調モジュールの前記駆動電流と同じようにパルス型式であり、前記発光システムは、
前記光感知モジュールに接続され、前記発光グループの前記発光強度を判断する前に前記感知光を指示する感知信号を復調する復調モジュールを更に含む請求項８ないし請求項１０のいずれか一項に記載の光源駆動装置。
【請求項１２】
前記発光器は複数色の発光が可能であるとともに、前記発光グループが発した光は複数色を有し、前記光感知モジュールは、複数の感知素子を含み、前記感知素子は、各色の光を感知し、前記感知光の前記感知信号を提供する請求項８ないし請求項１１のいずれか一項に記載の光源駆動装置。
【請求項１３】
前記発光器の各色の光に基づいて前記駆動電流を調整する請求項１２に記載の光源駆動装置。
【請求項１４】
複数の発光グループに分けられた複数の発光器を有する光源と、
複数のドライバを有し、駆動周波数を有する駆動電流を前記発光グループに提供し、発光強度を有する光を発する駆動モジュールと、
前記発光グループの近くに配置され、前記発光グループより発生された光を感知し、前記駆動周波数情報を有する感知光を得て前記感知光を指示する信号を出力する光感知モジュールと、
前記光感知モジュールの前記感知信号を受け、前記駆動周波数情報に基づいて、前記発光グループの前記発光強度を判断し、且つ、前記ドライバの前記駆動電流の調整によって前記発光グループの発光強度を制御する制御モジュールとを含むことを特徴とする発光システム。
【請求項１５】
前記発光グループは、前記光源の異なる位置に配置され、前記駆動電流の駆動周波数情報と前記発光グループの位置が関連し、且つ、前記駆動電流の調整は前記発光グループの位置に基づく請求項１４に記載の発光システム。
【請求項１６】
前記発光システムは、前記制御モジュールと前記駆動モジュールとの間に接続された変調モジュールを更に含み、前記変調モジュールは、前記制御モジュールからの制御信号を受け、前記駆動モジュールを通じて、変調した前記駆動電流を前記発光グループに提供するとともに、前記発光グループの前記駆動電流はパルス幅を有する前記電流パルスであり、かつ、前記制御モジュールは前記パルス幅を変えることによって前記駆動モジュールの前記駆動電流を調整する請求項１４に記載の発光システム。
【請求項１７】
前記感知光は前記変調モジュールの前記駆動電流と同じようにパルス型式であり、前記発光システムは、
前記光感知モジュールに接続され、前記発光グループの前記発光強度を判断する前に前記感知光を指示する感知信号を復調する復調モジュールを更に含む請求項１６に記載の発光システム。
【請求項１８】
前記発光器は複数色の発光が可能であるとともに、前記発光グループが発した光は複数色を有し、前記光感知モジュールは、複数の感知素子を含み、前記感知素子は、各色の光を感知し、前記感知光の前記感知信号を提供する請求項１４に記載の発光システム。
【請求項１９】
前記発光器の各色の光に基づいて前記駆動電流を調整する請求項１８に記載の発光システム。
【発明の詳細な説明】
【技術分野】
【０００１】
本発明は、液晶ディスプレイパネルの光源に関し、特に、発光ダイオードによる光源を駆動する装置、システムと制御方法に関するものである。
【背景技術】
【０００２】
例えば、透過型、または半透過半反射型のＬＣＤパネルのディスプレイパネルは、光源を提供するバックライト源が必要であり、一般的に発光ダイオードを用いてバックライト源を提供する。従来の方法は、赤、緑、青の３色のＬＥＤランプを用いて白色のバックライト源を提供する。大型のＬＣＤパネルを照らす場合、数本の異なる色のＬＥＤランプを用い、異なるＬＥＤ駆動装置によって異なる色のＬＥＤランプを駆動する。
【０００３】
バックライト源の白色光源を制御するために、従来の方法は、３組の異なるセンサーを用いて赤、緑、青の光源をそれぞれ感知し、フィードバック回路によってセンサーが感知した、異なる色の輝度レベルを処理器に送る。処理器は、ＬＥＤ駆動装置を制御することによって各色のＬＥＤの輝度レベルを調整する。例えば、フィードバック回路の技術（特許文献１参照）では、カラーフィルターを有するフォトダイオードは、特定の回路によって感知値をマイクロプロセッサにフィードバックする。このマイクロプロセッサは、信号によってＬＥＤ駆動装置の駆動電流を制御し、輝度を制御する目的を達成する。マイクロプロセッサの信号は、振幅変調またはパルス幅変調（ＰＷＭ）型でＬＥＤの駆動電流を制御することができる。
【０００４】
また、例えば、ＬＥＤの色度に基づいて赤、緑、青のＬＥＤの輝度をそれぞれ制御し、白色源を制御する目的を達成する方法（特許文献２参照）がある。また、例えば、カラー感知の方法（特許文献３参照）では、３組のフィルタ処理したフォトダイオードと、１組のフィルタ処理していないフォトダイオードを用いて光源を感知し、フィルタ処理したのと、フィルタ処理していない各色の輝度の比例を得て、三刺激値を得ている。得た三刺激値と推定値の差に基づいて回路を制御し、ＬＥＤの駆動電流を調整する。ここで、三刺激値とは、可視波長領域において、３つの色（例えば、赤、緑、青）のＣＩＥ（国際照明委員会）標準光源の相対分光スペクトルの積、想定した物体の反射率、及びＣＩＥ標準観測者の色整合関数の値を意味する。
【０００５】
従来技術では全て同じ周波数であり、ドライバはＰＷＭの駆動電流を用いて、各ＬＥＤランプのデューティーサイクルを変えている。図１に示すように、発光システム１は、バックライト源２０とＬＥＤ駆動システム１０を含む。バックライト源２０は、複数のドライバ１４、１６‥で駆動された、異なる色のＬＥＤの複数のＬＥＤランプ２４、２６‥を含む。光感知モジュール３０は、異なる色のＬＥＤランプを感知し、光感知モジュール３０で感知した輝度レベルを直接、ＬＥＤ駆動システム１０の制御モジュール１２に送る。
【０００６】
制御モジュール１２が各色の輝度レベルを得ると、制御モジュール１２は、ＰＷＭによってドライバ１４、１６‥のデューティーサイクルを変え、ＬＥＤランプの輝度を調整する。図１に示すように、ＬＥＤランプ＃１とＬＥＤランプ＃２のデューティーサイクルは異なる可能性があるが、ＬＥＤランプ＃１とＬＥＤランプ＃２の駆動周波数は同じである。小さいバックライト源には、この従来の技術は、輝度と白色の色度を適切に調整することができるが、単一の光感知モジュールでは、ＬＣＤパネル全体を均一に発光させるには不十分な可能性がある。
【０００７】
従って、２つまたは２つ以上の光感知モジュールを異なる位置に置いて輝度を感知する必要がある。図１に示すように、第２光感知モジュール３０’を同時に用い、異なる位置に置いてパネルの輝度を感知し、ＬＣＤパネル全体をより均一に発光させる。よって、複数の光感知モジュールの使用はコストアップと発光システムの複雑化に繋がるため、より費用効率の良好な方法と発光システムとを提供して色度を調整し制御することが望まれていた。
【特許文献１】米国特許公開第２００３／０２３０９９１号明細書
【特許文献２】米国特許公開第２００３／００１１８３２号明細書
【特許文献３】米国特許公開第２００３／００７６０５６号明細書
【発明の開示】
【発明が解決しようとする課題】
【０００８】
本発明は、異なる駆動周波数を用いて、光源の発光器を駆動することで異なる位置の光源の輝度と色度がモニターされ、調整される装置、システムおよび輝度均一性の改善方法を提供する。
【課題を解決するための手段】
【０００９】
本発明の１つの実施例では、各発光器は異なる駆動周波数を用いる。もう１つの実施例では、２つまたは２つ以上の発光器を一つの発光グループとし、各発光グループの発光器は、異なる駆動周波数を用いる。また、異なる発光グループが異なる数量の発光器を有し、または異なる色の発光器が異なる数量の発光器を有することができる。例えば、１つまたは複数の発光グループの赤色、緑色、青色の光感知モジュールを用いて光源の輝度均一性と色度のレベルとを感知する。発光器の位置と光感知モジュールとの間の距離に基づいて駆動周波数の設置が決められる。
【００１０】
すなわち、本発明は、複数の発光器を有する光源の輝度均一性を改善する方法であって、光源は、複数の発光グループに分けられ、発光グループは、駆動電流によって駆動され、発光強度を有する光を発生し、発光グループの発光器の各々を駆動する駆動電流の中に駆動周波数情報を組み込むステップ、発光グループより発生した光を感知し、駆動周波数情報を有する感知光を得て感知光を指示する信号を出力するステップ、駆動周波数情報に基づいて発光グループの発光強度を判断するステップ、および、発光強度の判断に基づいて発光グループの駆動電流を調整するステップを含むことが好ましい。
【００１１】
また、本発明の光源の輝度均一性を改善する方法は、発光グループが光源の中の異なる位置に配置され、駆動周波数情報が発光グループを指示する位置情報を含み、発光グループの位置に基づいて発光グループの駆動電流を調整することが好ましい。また、少なくとも一部の発光グループの駆動電流がパルス幅を有する電流パルスであり、電流パルスの前記パルス幅を変えることによって発光グループの駆動電流を調整することが好ましい。更に、発光器は複数色の発光が可能であるとともに、感知光は複数色の光を含み、発光器の色に基づいて発光グループの駆動電流を調整することが好ましい。
【００１２】
また、本発明の光源の輝度均一性を改善する方法は、複数の発光グループの駆動電流が発光グループごとに異なる複数の駆動周波数に分けられた各駆動周波数情報を提供し、発光強度の判断が感知光を発する発光グループの駆動周波数に基づくことが好ましく、かつ、発光グループが複数の異なる発光グループに分けられ、各発光グループが複数の発光器を含み、各発光グループの発光器が同じ駆動周波数を有することが好ましい。
【００１３】
また、本発明は、複数の発光グループに分けられた複数の発光器を有する光源を含む発光システムに適用される光源駆動装置であって、複数のドライバを備え、駆動周波数情報を有する駆動電流を発光グループに供給すると共に、発光強度を有する光を発生させる駆動モジュールと、発光強度に関連する駆動周波数情報に基づいて、複数の発光グループの発光強度を判断し、判断した複数の発光グループの発光強度に基づいてドライバより提供された駆動電流を調整する制御モジュールとを含むことが好ましい。
【００１４】
また、本発明の光源駆動装置は、前記光源の近くに配置され、発光グループより発生された光を感知し、駆動周波数情報を有する感知光を得て感知光を指示する信号を出力する光感知モジュールを更に含むことが好ましい。そして、発光グループが光源の異なる位置に配置され、駆動周波数と発光グループの位置とが関連し、駆動電流の調整が発光グループの位置に基づくことが好ましい。
また、本発明の光源駆動装置は、制御モジュールと駆動モジュールとの間に接続された変調モジュールを更に含み、変調モジュールは制御モジュールからの制御信号を受け、駆動モジュールを通じて、変調した駆動電流を発光グループに提供するとともに、発光グループの駆動電流がパルス幅を有する電流パルスであり、かつ、制御モジュールがパルス幅を変えることによって駆動モジュールの駆動電流を調整することが好ましい。
【００１５】
また、本発明の光源駆動装置は、感知光が変調モジュールの駆動電流と同じようにパルス型式であり、発光システムは、光感知モジュールに接続され、発光グループの発光強度を判断する前に感知光を指示する感知信号を復調する復調モジュールを更に含むことが好ましい。発光器は複数色の発光が可能であるとともに、発光グループが発した光は複数色を有し、光感知モジュールが複数の感知素子を含み、感知素子が各色の光を感知し、感知光の感知信号を提供することが好ましい。そして、発光器の各色の光に基づいて駆動電流を調整することが好ましい。
【００１６】
また、本発明の発光システムは、複数の発光グループに分けられた複数の発光器を有する光源と、複数のドライバを有し、駆動周波数を有する駆動電流を発光グループに提供し、発光強度を有する光を発する駆動モジュールと、発光グループの近くに配置され、発光グループより発生された光を感知し、駆動周波数情報を有する感知光を得て感知光を指示する信号を出力する光感知モジュールと、光感知モジュールの感知信号を受け、駆動周波数情報に基づいて、発光グループの発光強度を判断し、ドライバの駆動電流の調整によって発光グループの発光強度を制御する制御モジュールとを含むことが好ましい。
【００１７】
また、本発明の発光システムは、発光グループが光源の異なる位置に配置され、駆動電流の駆動周波数情報と発光グループの位置が関連し、駆動電流の調整が発光グループの位置に基づくことが好ましい。また、制御モジュールと前記駆動モジュールとの間に接続された変調モジュールを更に含み、変調モジュールが制御モジュールからの制御信号を受け、駆動モジュールを通じて、変調した駆動電流を発光グループに提供するとともに、発光グループの駆動電流がパルス幅を有する電流パルスであり、制御モジュールがパルス幅を変えることによって駆動モジュールの駆動電流を調整することが好ましい。
【００１８】
また、本発明の発光システムは、感知光が変調モジュールの駆動電流と同じようにパルス型式であり、発光システムは、光感知モジュールに接続され、発光グループの発光強度を判断する前に感知光を指示する感知信号を復調する復調モジュールを更に含むことが好ましい。更に、発光器は複数色の発光が可能であるとともに、発光グループが発した光は複数色を有し、光感知モジュールが複数の感知素子を含み、感知素子は各色の光を感知し、感知光の感知信号を提供することが好ましく、そして、発光器の各色の光に基づいて駆動電流を調整することが好ましい。
【発明の効果】
【００１９】
本発明は、より費用効率の良好な装置と発光システムと方法とを提供することで色度を調整し、制御することができる。
【発明を実施するための最良の形態】
【００２０】
本発明についての目的、特徴、長所が一層明確に理解されるよう、以下に実施形態を例示し、図面を参照にしながら、詳細に説明する。また、図２ないし図４ｃとその説明によれば、本発明を明白に理解することができる。
【実施例】
【００２１】
本発明は従来技術と同様にＰＷＭを用いて、発光器としての各ＬＥＤランプのデューティーサイクルを変えることでＬＥＤランプの輝度を制御する。従来技術と異なるのは、異なる駆動周波数の駆動電流を用いてＬＥＤランプを駆動し、光源としてのバックライト源の輝度をモニターしていることである。
【００２２】
図２に示すように、発光システム１００はＬＥＤ駆動システム１１０とバックライト源２００とを含み、バックライト源２００は複数の発光器としてのＬＥＤランプ２１２、２１４‥を含む。ＬＥＤ駆動システム１１０はドライバ１４２、１４４‥を含む。各ドライバ１４２、１４４‥は各ＬＥＤランプ２１２、２１４‥をそれぞれ駆動する。光感知モジュール３００は、複数の感知素子（不図示）を含み、バックライト源２００の各色の輝度を感知する。本実施例は、複数の赤、青、緑の感知素子を好ましい例にしている。
【００２３】
ＬＥＤ駆動システム１１０における制御モジュール１２０の機能は、変調モジュール１３０のＰＷＭを変調することでＬＥＤランプのデューティーサイクルを制御し、ＬＥＤランプ２１２、ＬＥＤランプ２１４、‥の輝度を調整することである。ＬＥＤランプ２１２の駆動周波数はｆ１であり、ＬＥＤランプ２１４の駆動周波数はｆ２、‥などである。従って、ＬＥＤランプ２１２が発光する周波数はｆ１であり、これはＬＥＤランプ２１２の駆動周波数でもある。また、光感知モジュール３００はＬＥＤランプ２１２の輝度を感知するだけでなく、その他のランプの輝度をも感知しうる。よって、光感知モジュール３００からの信号３０２は各ＬＥＤランプのカラーレベルの情報を含み、その情報は各ＬＥＤの駆動周波数（ｆ１、ｆ２、‥、ｆｋ）（ｋ＝１，２，３，‥）を含む。ＬＥＤランプと光感知モジュール３００との間の距離を参考とし、較正プロセスを通すことにより、バックライト源２００の輝度の均一性をモニターすることができる。
【００２４】
ここで注意すべきことは、ＬＥＤランプ２１２、ＬＥＤランプ２１４、‥の輝度が、駆動電流のデューティーサイクルによって決まることである。本発明に基づくと、制御モジュール１２０は各駆動周波数のＰＷＭの情報を有し、復調モジュール３１０は、信号３０２を信号３１２に変換する処理を先に行ってから制御モジュール１２０に伝送することができる。または、復調モジュールを制御モジュール１２０の中に、もしくはＬＥＤ駆動システム１１０の中に組み込ませることもできる。
【００２５】
図２ａは、信号３０２が赤色信号３０２ｒ、青色信号３０２ｂ、緑色信号３０２ｇに分けられて、３本の信号線としてそれぞれ伝送され、復調モジュールにて処理された後、赤色信号３０２ｒが赤色信号３１２ｒに、青色信号３０２ｂが青色信号３１２ｂに、緑色信号３０２ｇが緑色信号３１２ｇに、それぞれ、提供されていることを表しており、このシステムによって、多くの情報を持たせている。
【００２６】
図３に示すように、制御モジュール１２０は、周波数セレクター１２２を含み、この周波数セレクター１２２は、異なる駆動周波数の信号を分けることができ、制御モジュール１２０を提供して特定のＬＥＤランプの輝度を制御する。例えば、周波数セレクター１２２が駆動周波数ｆ２の信号を選び、マイクロプロセッサ１２４に提供した場合、マイクロプロセッサ１２４は、ＬＥＤランプ２１４（図２）の輝度情報を得ることができ、駆動周波数ｆ２のＰＷＭ情報に基づいて、マイクロプロセッサ１２４は、ＬＥＤランプ２１４のデューティーサイクルを調整してＬＥＤランプの輝度を制御することができる。
【００２７】
すなわち、異なる駆動周波数の情報によって、マイクロプロセッサ１２４は、バックライト源２００のカラーバランスと輝度の均一性を推定することができる。図３に示すように、制御モジュール１２０は、マイクロプロセッサのインターフェース１２６によって制御信号を変調モジュール１３０に伝送する。変調モジュール１３０は、デューティーサイクルの情報によってＬＥＤランプの輝度を調整する。
【００２８】
図４ａは、異なるＬＥＤランプに異なる駆動周波数を用いていることを表している。マイクロプロセッサ１２４（図３）は、駆動周波数に基づいた特定のＬＥＤランプの色を判断する。例えば、マイクロプロセッサ１２４は、周波数セレクター１２２によって駆動周波数ｆ４の信号を得て、赤色ＬＥＤランプ＃４の輝度を得る。すなわち、ドライバ１は駆動周波数ｆ１によってＬＥＤランプ＃１（赤色）を、ドライバ２は駆動周波数ｆ２によってＬＥＤランプ＃２（緑色）を、ドライバ３は駆動周波数ｆ３によってＬＥＤランプ＃３（青色）を、ドライバ４は駆動周波数ｆ４をもってＬＥＤランプ＃４（赤色）を、ドライバ５は駆動周波数ｆ５によってＬＥＤランプ＃５（緑色）を、ドライバ６は駆動周波数ｆ６によってＬＥＤランプ＃６（青色）を、‥、をそれぞれ駆動することを表している。ここで、ｆ１、ｆ２、ｆ３、‥は互いに異なる。尚、ドライバの数が更に多い場合も同様である。この場合、ＬＥＤランプ＃１（赤色）ないしＬＥＤランプ＃３（青色）を１つの発光グループとし、ＬＥＤランプ＃４（赤色）ないしＬＥＤランプ＃６（青色）を別の１つの発光グループとすることができる。
【００２９】
図４ｂは、異なる色の３つのＬＥＤランプを１つの発光グループとして同じ駆動周波数を用いていることを表している。すなわち、ドライバ１は駆動周波数ｆ１によってＬＥＤランプ＃１（赤色）を、ドライバ２は駆動周波数ｆ１によってＬＥＤランプ＃２（緑色）を、ドライバ３は駆動周波数ｆ１によってＬＥＤランプ＃３（青色）を、ドライバ４はｆ１とは異なる駆動周波数ｆ２によってＬＥＤランプ＃４（赤色）を、ドライバ５は駆動周波数ｆ２によってＬＥＤランプ＃２（緑色）を、ドライバ６は駆動周波数ｆ２によってＬＥＤランプ＃６（青色）を、‥、をそれぞれ駆動することを表している。ここで、ｆ１、ｆ２、ｆ３、‥は互いに異なる。この発光システムに用いられる光源駆動装置によれば、光源であるバックライト源が均一に分布しているかどうかを感知することができる。しかし、この光源駆動装置は、図２ａに示すように、３本の異なる信号線で信号を伝送することが必要であり、各１本の信号線は１色を伝送する。尚、ドライバの数及びＬＥＤランプの数が更に多い場合も同様である。
【００３０】
図４ｃは、ＬＥＤランプとＬＥＤランプとの間の距離が近く、しかも、各ＬＥＤランプと光感知モジュール３００との距離があまり変わらない場合、２つまたは２つ以上の同色のＬＥＤランプは同じ駆動周波数の信号を用いることができる。また、ＬＥＤランプと光感知モジュール３００との間の距離があまり変わらなければ、これらのＬＥＤランプに同じ駆動周波数の信号を用いることもできる。すなわち、図４ｃにおいて、ドライバ１はサブドライバ１を３個有しており、その各々は、いずれも同じ駆動周波数ｆ１によってＬＥＤランプ＃１（赤色）を駆動しており、また、ドライバ２はサブドライバ２を３個有しており、その各々は、いずれも同じ駆動周波数ｆ２によってＬＥＤランプ＃２（緑色）を駆動している。尚、ドライバの数が更に多い場合も同様である。
【００３１】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００３２】
【図１】従来のバックライト源を制御する概略図である。
【図２】本発明のバックライト源を制御する概略図である。
【図２ａ】本発明の異なる色の感知信号を処理する復調モジュールの概略図である。
【図３】本発明の基本信号の処理と制御の概略図である。
【図４ａ】本発明の異なる駆動周波数を用いて複数のＬＥＤランプを駆動する概略図である。
【図４ｂ】本発明の異なる駆動周波数を用いて複数のＬＥＤランプを駆動する概略図である。
【図４ｃ】本発明の異なる駆動周波数を用いて複数のＬＥＤランプを駆動する概略図である。
【符号の説明】
【００３３】
１、１００  発光システム
１０、１１０  ＬＥＤ駆動システム
１２、１２０  制御モジュール
１２２  周波数セレクター
１２４  マイクロプロセッサ
１２６  インターフェース
１３０  変調モジュール
１４、１６、１４２、１４４  ドライバ
２０、２００  バックライト源
２４、２６、２１２、２１４  ＬＥＤランプ
３、３０２、３１２  信号
３０、３０’、３００  光感知モジュール
３０２ｒ、３１２ｒ  赤色信号
３０２ｇ、３１２ｇ  緑色信号
３０２ｂ、３１２ｂ  青色信号
３１０  復調モジュール
ｆ１、ｆ２、ｆ３、ｆ４、ｆ５、ｆ６、ｆ７、ｆ８、ｆｋ  駆動周波数
【図１】
2007073496.tif 000003
【図２】
2007073496.tif 000004
【図２ａ】
2007073496.tif 000005
【図３】
2007073496.tif 000006
【図４ａ】
2007073496.tif 000007
【図４ｂ】
2007073496.tif 000008
【図４ｃ】
2007073496.tif 000009